(57)【特許請求の範囲】
【請求項１】
上面部と、底面部と両側面部からなる、複数の筒状容器を整列して保持し、収容するマルチパック包装体において、
前記上面部に隣接する前記両側面部間の所定位置に２つの切り込みにより形成される取手部を設け、
前記取手部は、
前記上面部と前記両側面部との長手方向に対して所定の角度傾きを有し、当該取手部の中央部分に設けられる一対の平行切り込み直線部分と、
前記平行切り込み直線部分の各端部から、前記平行切り込み直線部分に対して同一方向に各々所定の角度折れ、前記両側面部へ互いに離間するように伸びる一対の非平行切り込み直線部分とを有し、
前記平行切り込み直線部分の各端部は、前記収容される筒状容器の巻締部に対応する位置に設けられる、マルチパック包装体。
【請求項２】
前記取手部は、前記取手部の中央両端縁に前記上面部を切り込み一対の押込片を突設した、請求項１に記載のマルチパック包装体。
【発明の詳細な説明】
【技術分野】
【０００１】
本発明は、缶ビールや缶ジュースなどの飲料容器等を複数個整列して包装するマルチパック包装体に関する。
【背景技術】
【０００２】
従来から缶ビールや缶ジュース等を複数個まとめて販売するために缶を複数個整列させて包装するいわゆるマルチパック包装体が使用されている。このマルチパック包装体は、通常、複数個の整列した缶を、上面部、底面部、両側面部で囲み、前後を開口にして内部の収容された缶が露出するようにして保持している。
【０００３】
このマルチパック包装体を持ち運ぶ際の形態としては、フィンガーホール（指孔）を上面部に形成するタイプのものと、上面部に取手を形成するタイプのものがある。上面部にフィンガーホール（指孔）を形成するタイプのものとしては、例えば上面部を切り込んで一対の押込片を設け、この押込片を指で押し込むことにより、掴んで持ち運べるようにしたものがある。しかしながら、このタイプのものは、フィンガーホールに指を入れて持ち上げる際に、その上面部があまり撓まないため、上面部と缶の頂面との間に指を十分に入れることができず、把持しにくいという問題があった。
【０００４】
上面部に取手を形成するタイプのものでは、例えば、取手となる把持片を差込穴に差し込んで上に持ち上げることにより取手を形成するもの（特許文献１参照）や、上面部から両側面の上部の部分を切り込んで取手を形成するものがある（特許文献２参照）。この上面部に切り込みを入れて取手を形成するタイプのものでは、マルチパック包装体の持ち運びの際に、取手の両側の根元部分が捩れやすく、安定した状態で持ち運びにくいという問題があり、例えば、この根元の部分を二股状に脚部が分かれた形状とすることで、取手の根元部分の捩れを防止しようとするマルチパック包装体が提案されている（特許文献３参照）。
【特許文献１】特開２００３−０９５３１９号公報
【特許文献２】特開２００１−３２８６７０号公報
【特許文献３】特開２００５−１５３９１３号公報
【発明の開示】
【発明が解決しようとする課題】
【０００５】
マルチパック包装体を持ち運ぶ際の形態として上述のようなものがあるが、例えばマルチパック包装体の上面部に取手を有するマルチパック包装体は、その取手を掴んでマルチパック包装体を持ち運ぶ際には、図４（ａ）（ｂ）に示すように、取手が形成される側面部から上面部へのちょうど折り曲がり部分に缶の巻締部がくい込み、取手がちぎれやすくなるという問題が生じる。
【０００６】
本発明は、このような問題を解決するために、上面部から両側面部に切込みを入れた取手に所定の角度をつけ、缶の巻締部の取手折り曲がり部分への接触状態を変え、取手折り曲がり部分への当たりやくい込みを軽減することで、マルチパック包装体の取手の強度アップをはかることを目的とする。
【課題を解決するための手段】
【０００７】
上記目的を達成するため、本発明によれば、上面部と、底面部と両側面部からなる、複数の筒状容器を整列して保持し、収容するマルチパック包装体において、前記上面部に隣接する前記両側面部間の所定位置に２つの切り込みにより形成される取手部を設け、前記取手部は、前記上面部と前記両側面部との長手方向に対して所定の角度傾きを有し、当該取手部の中央部分に設けられる一対の平行切り込み直線部分と、前記平行切り込み直線部分の各端部から、前記平行切り込み直線部分に対して同一方向に各々所定の角度折れ、前記両側面部へ互いに離間するように伸びる一対の非平行切り込み直線部分とを有し、前記平行切り込み直線部分の各端部は、前記収容される筒状容器の巻締部に対応する位置に設けられる、マルチパック包装体が提供される。
【０００９】
また、前記取手部の中央両端縁に前記上面部を切り込み一対の押込片を突設した、マルチパック包装体としてもよい。
【発明の効果】
【００１０】
本発明によれば、マルチパック包装体の上面部から両側面部に切込みを入れた取手に所定の角度をつけ、缶の巻締部の取手折り曲がり部分への接触状態を変え、マルチパック包装体を持ち運ぶ際にちょうど缶の巻締部があたる取手折り曲がり部分への当たりやくい込みを軽減することで、取手の強度をアップしたマルチパック包装体を提供することができる。
【発明を実施するための最良の形態】
【００１１】
以下、本発明の実施例について図面を参照して説明する。
【００１２】
図１は、本発明の第１の実施例にかかるマルチパック包装体（以下、単に「包装体」という。）１０を示し、この包装体１０は８本のビール缶を収容するためのものである。包装体１０は８本の缶を、上面部１０ａ、底面部１０ｂ及び一対の両側面部１０ｃ、１０ｄで囲み、他の一対（左右）の側面部を開口にして内部の収容された缶が露出するようにして保持してあり、全体として直方体の形状をなしている。開口部の四方には収容された缶が脱落するのを防止する三角状の止め部１１が設けられている。
【００１３】
本実施例による包装体１０は、上面部１０ａと両側面部１０ｃ、１０ｄの一部に包装体１０を持ち運ぶ際の取手部１２が形成されている。取手部１２は、把持片１２ａ、１２ｂと折り込み部１２ｃによって形成されている。折り込み部１２ｃは、取手部１２の根元部分の折り込みを容易にするために、罫線が施された三角形の二辺からなる。このうち一辺は他辺より短く、二辺の頂点は側面部１０ｃ、１０ｄから缶の側面部に向かって折り込まれる。
【００１４】
図２は、包装体１０を形成するための展開シート２０を示す。図示のように、展開シート２０は長尺状シートからなり、包装体１０の上面部１０ａ、底面部１０ｂ及び一対の両側面部１０ｃ、１０ｄに対応する区分を有し、それぞれの区分の境界には点線で示す折り線２１〜２６が形成されている。
【００１５】
また、各区分の境界線の両側部には止め片１１がそれぞれ折り線１１ａによって形成されている。
【００１６】
上面部１０ａの両側に側面部１０ｃ、１０ｄが位置し、取手部１２が、上面部１０ａから両側面部１０ｃ、１０ｄの一部にかけて形成されている。
【００１７】
取手部１２は、切り込み線１２ａ、切り込み線１２ｂ、折り込み線１２ｃからなる。切り込み線とは、切り目が入った線であって簡単に切り離しができる線のことを指し、折り込み線とは、折り目の入った線を指す。
【００１８】
切り込み線１２ａは、第１切り込み線１２ａ１，第２切り込み線１２ａ２、第３切り込み線１２ａ３からなる。切り込み線１２ｂは、第１切り込み線１２ｂ１、第２切り込み線１２ｂ２、第３切り込み線１２ｂ３からなる。
【００１９】
このうち、第１切り込み線１２ａ１と第１切り込み線１２ｂ１は、一対の平行直線からなり、取手部１２の中央部分に位置する。すなわち、取手部１２の第１切り込み線１２ａ１は、点Ｐ１から点Ｐ２まで延び、第１切り込み線１２ｂ１は、点Ｐ１'から点Ｐ２'まで延びている。
【００２０】
この一対の平行直線からなる取手部１２の中心点は、包装体１０の中心点と同一であり、包装体１０を持ち運ぶ際にバランスを保持するための中心点と同一となっている。また、この取手部１２の中央部分は、上面部１０ａと両側面部１０ｃ、１０ｄの長手方向に対して傾き、その角度はおおよそ外向きに５度ないし２０度である。この角度、形状は、包装体、包装体で包む缶の本数、重さ、缶口の直径の大きさ等により変更しうる。
【００２１】
また、取手部１２の両端部分は、上面部１０ａから両側面部１０ｃ、１０ｄに向かって一対の非平行直線である第２切り込み線１２ａ２と第３切り込み線１２ｂ３、および第３切り込み線１２ａ３と第２切り込み線１２ｂ２がそれぞれ、互いに離間する方向で延びている。
【００２２】
すなわち、第２切り込み線１２ａ２は点Ｐ２から、第２切り込み線１２ｂ２は点Ｐ２'から外向きに折れている。それぞれ第１切り込み線と第２切り込み線のなす角度は、おおよそ１５０度ないし１７０度である。この角度は、包装体、包装体で包む缶の本数、重さ、缶口の直径の大きさ等により変更しうる。
【００２３】
また、第３切り込み線１２ａ３は点Ｐ１から、第３切り込み線１２ｂ３は点Ｐ１'から、わずかに包装体１０の中心方向に傾くように延びている。すなわち、それぞれ第１切り込み線と第３切り込み線のなす角度は、おおよそ１６５度ないし１７５度である。この角度は、包装体、包装体で包む缶の本数、重さ、缶口の直径の大きさ等により変更しうる。
【００２４】
点Ｐ１の位置は、折り線２１から折り線２２の間（以下、「Ｙ」という。）をおおよそ１０分の１程度折り線２２から折り線２１方向に向かったところに位置する。また点Ｐ１は、折り線２５から折り線２６の間（以下、「Ｘ」という。）をおおよそ３分の１程度折り線２５から折り線２６方向に向かったところに位置する。
【００２５】
点Ｐ１'は、Ｙをおおよそ１０分の１程度折り線２１から折り線２２に向かったところに位置する。また点Ｐ１'は、Ｘをおおよそ３分の１程度折り線２６から折り線２５方向に向かったところに位置する。
【００２６】
Ｐ２は点Ｐ１'よりも折り線２２側に、点Ｐ２'は点Ｐ１よりも折り線２１側に位置する。点Ｐ１と点Ｐ２'の距離、点Ｐ１'と点Ｐ２間の距離は、おおよそ２．５〜５cmである。
【００２７】
この点Ｐ１、点Ｐ１'、点Ｐ２及び点Ｐ２' は、それぞれ収容する缶の巻締部が、持ち運びの際、ちょうど取手の折り曲げ部にあたるところに位置する（図４（ｃ）参照）。
【００２８】
したがって、点Ｐ１をなす第１切り込み線１２ａ１と第３切り込み線１２ａ３及び点Ｐ１' をなす第１切り込み線１２ｂ１と第３切り込み線１２ｂ３に上述ように所定の角度、例えば、１６５度〜１７５度の角度をつけると、取手を保持し、包装体１０を持ち上げたとき、缶の巻締部は、取手折り曲げ部に対してくい込みにくくなる。
【００２９】
また、点Ｐ２をなす第１切り込み線１２ａ１と第２切り込み線１２ａ２及び点Ｐ２' をなす第１切り込み線１２ｂ１と第２切り込み線１２ｂ２に上述のように所定の角度、例えば、１５０度から１７０度の角度をつけると、包装体１０を持ち上げたとき、缶の巻締部の取手折り曲げ部への当たりが軽くなる。
【００３０】
取手部１２の折り込み線１２ｃは三角形の二辺からなり、一方の辺は他方の辺より短く、二辺の頂点は所定の角度を有する。例えば、側面部１０ｃ側の折り込み線１２ｃは、左辺は右辺よりも短く、左辺の下端位置は右辺の下端位置よりも上方に位置するよう形成され、左辺と右辺のなす角度はおおよそ１２０度〜１５０度である。
【００３１】
このような取手部１２を形成することにより、包装体１０の全体に均一に力を作用させることが可能となり、包装体１０を持ち運ぶ際にバランスを保持し、ぐらつきを防止することができる。また、取手に所定の角度をつけたことにより、缶の巻締部の取手への当たりやくい込みを軽減し、マルチパック包装体の取手の強度アップする。
【００３２】
また、この取手部１２の切り起こしを容易にするために中央部には一対の押込片１３ａ、１３ｂが形成されている。
【００３３】
底面部１０ｂは、展開シートの両端に底面部１０ｂ１と底面部１０ｂ２とに分割されて位置し、一方の底面部１０ｂ１には係合片１４ａ〜１４ｄが突出して形成され、他方の底面部１０ｂ２には係合片１４ａ〜１４ｄが挿入される孔１５ａ〜１５ｄと、挿入される係合片１４ａ〜１４ｄを係止するための切り込み１６ａ〜１６ｄが形成されている。
【００３４】
上述の展開シート２０を使用して、例えばビール缶を包装する場合は、展開シート２０の上面部１０ａ上に８本の缶を整列して配置し、境界線である折り線２１，２２を折立て、折り線２５、２６を折り、次いで折り線２３，２４を折り、係合片１４ａ〜１４ｄを孔１５ａ〜１５ｄに挿入した後、それぞれを切り込み１６ａ〜１６ｄに差し込んで係合させる。
【００３５】
これにより、図１に示す状態で缶を保持する包装体１０が出来上がる。上面部１０ａ上の切り込み線１２ａ、１２ｂについて、切り目に沿って切り離すと、包装体１０を持ち運ぶ際の取手部１２が形成される。
【００３６】
図３は、本発明の他の実施例のマルチパック包装体３０を示す。本実施例の包装体３０は４缶を収容する点が相違する。全体としてはほぼ立方体の形状をなしている。細部構造は、図１、図２に示したものと差異はない。本実施例においても、取手部１２の構造を有する。
【００３７】
以上、本発明によるマルチパック包装体について、ビール缶を包装するマルチパック包装体を８缶用及び４缶用を例に述べたが、これ以外の本数、例えば２、６缶等を保持する包装体にも適用できる。また、これらの用途も、ビール缶に限ることなく、ジュース缶やその他の飲料容器用、さらにその他の円筒状容器、角状容器用等にも適用できる。
【図面の簡単な説明】
【００３８】
【図１】本発明の実施例に係るマルチパック包装体を示す図である。
【図２】図１のマルチパック包装体の展開シートを示す図である。
【図３】本発明の他の実施例に係るマルチパック包装体を示す図である。
【図４】（ａ）従来の取手を有するマルチパック包装体を示す図である。（ｂ）図（ａ）の取手を持ち上げたときに、缶の巻締部が取手曲がり部分に当たっている図である。（ｃ）本発明の実施例に係る取手に角度をつけたときの図である。
【符号の説明】
【００３９】
１０，２０，３０  マルチパック包装体
１１  止め片
１２  取手部
１３  押込片
１４  係合片
１５  挿入孔
１６  切り込み
【図１】
0005026211.tif 000002
【図２】
0005026211.tif 000003
【図３】
0005026211.tif 000004
【図４】
0005026211.tif 000005